(57)【要約】【課題】各人の個性を殺さずにゴルフスイングの矯正を行う汎用性を備えた矯正器を提供する。【解決手段】上腕部及び下腕部（或いは上肢部及び下肢部）でそれぞれ固定されるように装着でき、装着状態での肘（或いは膝）の屈曲が可能で、且つ屈曲時に復帰付勢力が生ずるために、肘の外側（或いは膝の前側）に当接すると共に、上腕部及び下腕部（或いは上肢部及び下肢部）に達する背布体１に、上腕部及び下腕部（或いは上肢部及び下肢部）を各々抱持する各装着部（第一装着部２ａ，２ｂ、第二装着部３ａ，３ｂ）を設け、背布体に板バネ体５を付設し、左腕（左打ちの場合には右腕：或いは左足）に装着して「肘の動作（或いは膝の動作）」を矯正する。【選択図】　　図１
2004121571.tif 000002
【特許請求の範囲】
【請求項１】
上腕部及び下腕部、或いは上肢部及び下肢部でそれぞれ固定されるように装着でき、装着状態での肘又は膝の屈曲が可能で、且つ屈曲時に復帰付勢力が生ずることを特徴とするゴルフスイング矯正器。
【請求項２】
肘の外側又は膝の前側に当接すると共に、上腕部及び下腕部或いは上肢部及び下肢部に達する背布体に、上腕部及び下腕部或いは上肢部及び下肢部を各々抱持する各装着部を付設し、前記背布体に板バネ体を付設してなる請求項１記載のゴルフスイング矯正器。
【請求項３】
各装着部を背付体と一体としたサポーター状に形成してなる請求項２記載のゴルフスイング矯正器。
【請求項４】
背布体の所定位置に上腕部及び下腕部或いは上肢部及び下肢部を締め付けて固定する止着バンドを付設してなる請求項２又は３記載のゴルフスイング矯正器。
【請求項５】
上腕部及び下腕部或いは上肢部及び下肢部に当接する当て板と、当て板に装着した上腕部及び下腕部を締め付けて固定する止着バンドと、当て板を連結する弾性板とで構成した請求項１記載のゴルフスイング矯正器。
【請求項６】
屈曲自在に節連結した両連結部に、各々屈曲時に復帰付勢力が生ずる発条を付設すると共に、連結部に上腕部及び下腕部或いは上肢部及び下肢部を締め付けて固定する止着バンドを設けてなる請求項１記載のゴルフスイング矯正器。
【発明の詳細な説明】
【０００１】
【産業上の利用分野】
本発明は、ゴルフスイングの矯正に使用する器具に関するものである。
【０００２】
【従来の技術及び発明が解決しようとする課題】
ゴルフの上達には練習が欠かせないが、誤った練習は益になるどころか上達の阻害要因となる。そこで従前より正しい練習がなされるように、練習を補助する器具が提案されている。
【０００３】
特にスイングについては、腕の動作や下半身の動作が、所定の動作となるように矯正する器具が知られている。例えば腕の振り動作について、特開平９−２５３２６１号には、左右上腕に掛け回して左右上腕が離れないように強制して、スイング矯正を行う器具が開示されており、同２０００−１４０１８１号及び同２００１−１０４５３１号、同２００１−１４５３１号、特開平８−３３７４７号には、胴体と腕の相対位置を強制する矯正器具が開示されている。更に特開平９−１３１４２４号公報には、両腕と腰部との距離を強制する矯正器具が開示されている。
【０００４】
前記の公知のスイング矯正器具は、両腕や、胴体と一体に強制されるスイング矯正器具である。そして各種のスイング矯正器具が存在することは、理想的スイングを実現するための器具ではなく、欠点除去を目的としての矯正器具であることを示している。
【０００５】
またスイングは各人の身体能力やそれまでの経験による個々のクセによって、画一的な矯正は現実的なものとは言えない。即ち現実的に実現できる理想的スイングは、各人各様である。従って前記した各矯正器具は、必ずしも万人に共通な汎用性を備えているものではない。
【０００６】
またバックスイングにおいて、左膝（右打ちの場合）が大きく曲がると、上体が前傾してしまい（左肩が落ちる上体）、適切なスイングとならない。
【０００７】
そこで本発明は、より汎用性に優れ、ゴルフスイングにおける最も基本的な動作の一つである左腕（左打ちの場合には右腕）の「肘の動作」を矯正したり、「左膝の動作」の動作を矯正する器具を提案したものである。
【０００８】
【課題を解決する手段】
本発明に係るゴルフスイング矯正器は、上腕部及び下腕部、或いは上肢部及び下肢部でそれぞれ固定されるように装着でき、装着状態での肘の屈曲が可能で、且つ屈曲時に復帰付勢力が生ずることを特徴とするものである。
【０００９】
しかして前記ゴルフスイング矯正器を左腕（左打ちの場合には右腕）に固定すると、左腕（又は右腕）の肘が伸びた状態で保持されることになり、且つ肘を曲げた場合に復帰付勢力で肘を伸ばそうとする力が働くことになる。従って器具を装着してスイングを行った場合には、左肘（右肘）を伸ばすように強制されることになり、特にバックスイングに際して左肘（右肘）が伸びたスイングに矯正されることになる。
【００１０】
同様に前記ゴルフスイング矯正器を左膝（左打ちの場合には右膝）に固定すると、左足（又は右足）の膝が伸びた状態で保持されることになり、且つ膝を曲げた場合に復帰付勢力で膝を伸ばそうとする力が働くことになり、スイングにおいて、膝が曲がってしまうのを防止してスイングの矯正を図るものである。
【００１１】
【実施の形態】
次に本発明の実施の形態について説明する。図１は本発明の第一実施形態であり、この実施形態は、背布体１に、第一装着部２ａ，２ｂと、第二装着部３ａ，３ｂと、バネ取付部４と、板バネ体５を組み込んでなる。
【００１２】
背布体１は、肘の外側に当接すると共に上腕部及び下腕部に達する長さで、その長手方向（装着時の腕方向）に筒布状のバネ取付部４を適宜数並設し、板バネ体５を前記バネ取付部４に差し込んで装着するものである。
【００１３】
また背布体１の両端部分に前記背布体１と一体に縫合若しくは編成して、上腕部及び下腕部を各々抱持する第一装着部２ａ，２ｂを設けてなる。
【００１４】
この第一装着部２ａ，２ｂの間は、空隙２ｃとして肘の曲げ動作に対して第一装着部２ａ，２ｂが邪魔にならないようにすると共に、第一装着部２ａ，２ｂを背布体１と一体にして全体をサポーター状に形成する。
【００１５】
第二装着部３ａ，３ｂは、背布体１の両側に縫合連結したもので、止着部分を鉤止面による絡着構成を採用して、所望位置で固定できる止着バンドで形成したものである。
【００１６】
而して背布体１が左肘（右肘）の外側に位置するよう腕に通して、第一装着部２ａ，２ｂ及び第二装着部３ａ，３ｂで、上腕部及び下腕部にしっかりと固定し、ゴルフスイングの練習を行うものである。
【００１７】
従ってスイングを行った場合には、板バネ体５の作用で、左肘（右肘）が伸ばすように強制されることになり、図２に例示するとおり左肘（右肘）が曲がったスイング（イの状態）から、左肘（右肘）が伸びたスイング（ロの状態）に矯正されることになる。また強制力の強弱は、板バネ体５の装着数で容易に調整できるので、前記第一実施形態は、スイング矯正を除々に行うことができる利点がある。
【００１８】
図３，４は、本発明の第二実施形態で、当て板６ａ，６ｂと、止着バンド（装着部）７ａ，７ｂと、弾性板８とで構成されているものである。
【００１９】
当て板６ａ，６ｂは、上腕部及び下腕部に当接するもので、当接面に適宜なクッション性を備えさせると共に、止着バンド（装着部）７ａ，７ｂで上腕部及び下腕部に締め付けて固定する。
【００２０】
弾性板８は、ゴム質板で、適宜な弾性を備えたもので、当て板６ａ，６ｂを連結するとともに、当て板６ａ，６ｂの相対位置が変化すると（全体が屈曲すると）、弾性力で復帰しようとする作用が働くようにしたものである。
【００２１】
従って前記第二実施形態の矯正器具を腕の所定位置に装着固定して、前記第一実施形態の器具と同様に使用とすると、所定のスイング矯正がなされるものである。
【００２２】
図５は本発明の第三実施形態で、節構造による関節動作とバネによる屈曲復帰付勢力を付与する構造としたもので、連結部９ａ，９ｂと、バネ体１０と、止着バンド（装着部）１１ａ，１１ｂとで構成される。
【００２３】
連結部９ａ，９ｂは、互いに重ね合わせて当該重合部分を枢結して関節構造とし、適宜な枝部１２ａ，１２ｂを突設し、枝部１２ａ，１２ｂ間にバネ体１０を装着して、所定の復帰付勢力を付与してなる。
【００２４】
また連結部９ａ，９ｂの外端両側に、上腕及び下腕に連結部９ａ，９ｂを固定する止着バンド（装着部）１１ａ，１１ｂを設けてなる。
【００２５】
しかして前記の実施形態同様に止着バンド（装着部）１１ａ，１１ｂをもって腕に器具を装着してスイングを行うことで、左肘（右肘）が曲がって誤ったスイングが矯正されるものである。
【００２６】
なお本発明は前記各実施形態に限定されるものではなく、所定の目的を達成する構成を備えるものであれば、その具体的構造は任意に定められるものである。
【００２７】
更に前記実施形態は、肘装着の場合について説明したが、器具を上肢及び下肢に装着固定して、膝の屈曲動作を抑制してスイング矯正とすることもできる。
【００２８】
【発明の効果】
以上のように本発明は、上腕部及び下腕部、或いは上肢部及び下肢部でそれぞれ固定されるように装着でき、装着状態での肘或いは膝の屈曲が可能で、且つ屈曲時に復帰付勢力が生ずる構成としたゴルフスイング矯正器で、ゴルフスイングにおける最も基本的な動作の一つである左腕（左打ちの場合には右腕）の「肘の動作」或いは左足（左打ちの場合には右足）の「膝の動作」を矯正し、各人の個性を殺さずにスイングを矯正することができたものである。
【図面の簡単な説明】
【図１】本発明の第一実施形態全体斜視図。
【図２】同使用状態の説明図で、（イ）は装着前（ロ）は装着後のスイング状態を示す。
【図３】同第二実施形態全体斜視図。
【図４】同動作説明図。
【図５】同第三実施形態の説明図。
【符号の説明】
１　　　　　　　　背布体
２ａ，２ｂ　　　　第一装着部
３ａ，３ｂ　　　　第二装着部
４　　　　　　　　バネ取付部
５　　　　　　　　板バネ体
６ａ，６ｂ　　　　当て板
７ａ，７ｂ　　　　止着バンド（装着部）
８　　　　　　　　弾性板
９ａ，９ｂ　　　　連結部
１０　　　　　　　バネ体
１１ａ，１１ｂ　　止着バンド（装着部）
１２ａ，１２ｂ　　枝部
【図１】
2004121571.tif 000003
【図２】
2004121571.tif 000004
【図３】
2004121571.tif 000005
【図４】
2004121571.tif 000006
【図５】
2004121571.tif 000007